(57)【要約】【課題】低コストかつ高密度にて、ケーブル側光ファイバ６０と他の光ファイバ７０、７０ａ、７０ｂとを切替可能に接続できる光配線盤１を提供する。【解決手段】光ファイバ同士の融着接続部を収納する融着ユニット３と、他の光ファイバ７０ａに対して接続される光部品付き光ファイバ８の光部品８０を収納する光部品ユニット４とを備え、前記ケーブル側光ファイバ６０に、前記他の光ファイバ７０ａと接続された前記光部品付き光ファイバ８の光ファイバ８２を融着接続することにより、ケーブル側光ファイバ６０と他の光ファイバ７０ａとの間に光部品８０を介在できるように構成されており、前記融着ユニット３は、前記ケーブル側光ファイバ６０と他の光ファイバ７０ｂとの融着接続部６３ｂと、前記ケーブル側光ファイバ６０と光部品付き光ファイバ８の光ファイバ８２との融着接続部６３ａとを取り出し可能に収納するようになっている光配線盤１。【選択図】  図２
2004226477.tif 000002
【特許請求の範囲】
【請求項１】
光ファイバケーブル（６）側の光ファイバであるケーブル側光ファイバ（６０）と他の光ファイバ（７０、７０ａ、７０ｂ）とを切替接続する光配線盤であって、
光ファイバ同士の融着接続部を収納する融着ユニット（３）と、前記他の光ファイバに対して接続される光部品付き光ファイバ（８）の光部品（８０）を収納する光部品ユニット（４）とを備え、
前記ケーブル側光ファイバに、前記他の光ファイバと接続された前記光部品付き光ファイバの光ファイバ（８２）を融着接続することにより、ケーブル側光ファイバと他の光ファイバとの間に光部品を介在できるように構成されており、
前記融着ユニットは、前記ケーブル側光ファイバと前記他の光ファイバとの融着接続部（６３ｂ）と、前記ケーブル側光ファイバと前記光部品付き光ファイバの光ファイバとの融着接続部（６３ａ）とを取り出し可能に収納するようになっていることを特徴とする光配線盤（１）。
【請求項２】
前記光部品ユニットは、ケーブル側光ファイバに対して未接続の光ファイバの端末部を湾曲収納する未接続光ファイバ収納領域（４５ｂ）を有することを特徴とする光配線盤。
【請求項３】
前記光部品ユニットは、前記ケーブル側光ファイバと接続される前記他の光ファイバ（７０ｂ）が配線される配線領域（４４）を備えており、この配線領域は、前記未接続光ファイバ収納領域（４５ｂ）とは区分けされていることを特徴とする請求項１または２に記載の光配線盤。
【請求項４】
請求項１ないし３のいずれかに記載の光配線盤に光ファイバを配線する光配線盤の配線方法であって、前記他の光ファイバを所定の本数ずつグループにし、各グループを識別する識別チューブ（９ａ〜９ｄ）を、当該グループに属する光ファイバを束ねるようにして取り付けることを特徴とする光配線盤の配線方法。
【発明の詳細な説明】
【０００１】
【発明の属する技術分野】
本発明は、光ファイバケーブル（光ケーブル）側の光ファイバであるケーブル側光ファイバを、他の光ファイバと接続する光配線盤に関するものである。
【０００２】
【従来の技術】
従来、図１０に示すように、例えば外線となる光ケーブル１０２を、伝送装置１００と接続する手法として、伝送装置１００と光配線盤１０１との間を連絡用光ケーブル１０３で連絡し、外線光ケーブル１０２の光ファイバ１０４を、連絡用光ケーブル１０３の光ファイバ１０５と切替可能に接続することが行われている。より具体的には、光ファイバ１０４、１０５をファンアウトコード１０６、１０７に融着接続することにコネクタ成端し、ファンアウトコード１０６、１０７の先端の光コネクタプラグ１０６ａ、１０７ａを、成端ユニット１０９の光コネクタ（アダプタ）１０９ａに挿入することにより、光ファイバ１０４と光ファイバ１０５とが、切替可能に光接続される。光ファイバ１０４、１０５と、ファンアウトコード１０６、１０７との融着接続部１１０、１１１は、それぞれ、融着ユニット１０８および成端ユニット１０９に収納される。
なお、ファンアウトコードとは、多心光ファイバから個々の単心光ファイバに単心分離され、各単心光ファイバの先端に光コネクタプラグが取り付けられたものである。
このように、光コネクタを介して光ファイバを切替可能に接続する光配線盤は広く知られている（例えば、特許文献１〜４参照）。
【０００３】
【特許文献１】
特許第３１７６９０６号公報
【特許文献２】
特開２０００−２３１０２１号公報
【特許文献３】
特開２０００−２３１０２２号公報
【特許文献４】
特開２０００−２４１６２９号公報
【０００４】
【発明が解決しようとする課題】
しかしながら、このような光配線盤１０１では、使用する光コネクタ１０６ａ、１０７ａ、１０９ａの個数が多く、コストがかかる。また、一般に、光コネクタによる接続では、０．５ｄＢ程度の比較的高い損失が見込まれ、例えばいわゆるケーブルテレビ（ＣＡＴＶ）などのように映像伝送を行う場合には、高容量伝送に対応できる接続ユニットが必要になり、さらに高コストとなる。
さらに、どこにも接続されない未接続の光ファイバ１２０があると、この光ファイバ１２０を、これをコネクタ成端する光コネクタ１２０ａと併せて収納処理するためのスペースを、成端ユニット１０９や融着ユニット１０８とは別に、別途確保する必要があり、光配線盤の高密度化の妨げになるなどの不満もある。
光ファイバ線路に光カプラや光スプリッタなどの光部品を介在させるためには、加えて、ユニット光部品を収納するカプラユニットを、光配線盤か伝送装置に設ける必要があり、光配線盤の大型化、高コスト化が避けられない。
【０００５】
本発明は、上記事情に鑑みてなされたものであり、低コストかつ高密度にて、ケーブル側光ファイバと他の光ファイバとを切替可能に接続することができるように光配線盤を提供することを課題とする。
【０００６】
【課題を解決するための手段】
前記課題を解決するため、本発明は、光ファイバ同士の融着接続部を収納する融着ユニットと、前記他の光ファイバに対して接続される光部品付き光ファイバの光部品を収納する光部品ユニットとを備え、
前記ケーブル側光ファイバに、前記他の光ファイバと接続された前記光部品付き光ファイバの光ファイバを融着接続することにより、ケーブル側光ファイバと他の光ファイバとの間に光部品を介在できるように構成されており、
前記融着ユニットは、前記ケーブル側光ファイバと前記他の光ファイバとの融着接続部と、前記ケーブル側光ファイバと前記光部品付き光ファイバの光ファイバとの融着接続部とを取り出し可能に収納するようになっていることを特徴とする光配線盤を提供する。
前記光部品ユニットは、ケーブル側光ファイバに対して未接続の光ファイバの端末部を湾曲収納する未接続光ファイバ収納領域を有することが好ましい。
前記光部品ユニットは、前記ケーブル側光ファイバと接続される前記他の光ファイバが配線される配線領域を備え、この配線領域は、前記未接続光ファイバ収納領域とは区分けされていることが好ましい。
【０００７】
上述の光配線盤を用いて光ファイバを配線するには、前記他の光ファイバを所定の本数ずつグループにし、各グループを識別する識別チューブを、当該グループに属する光ファイバを束ねるようにして取り付けることが好ましい。
【０００８】
【発明の実施の形態】
以下、実施の形態に基づいて、本発明を詳しく説明する。
図１は、本発明の光配線盤およびその配線方法の一例を示す概略構成図であり、図２は模式図である。図３は、光配線盤の一実施の形態を示す正面図である。
図１〜３に示す光配線盤１は、枠状の函体１０と、この函体１０内に引き込まれた光ファイバケーブル６、７（以下、光ケーブルということがある）を固定するケーブル固定部２とを備え、外線側光ケーブル６から引き出された外線側光ファイバ６０を、機器側光ケーブル７から引き出された機器側光ファイバ７０ととを切替可能に接続するために用いられる。
光配線盤１は、函体１０内に、外線側光ファイバ６０と機器側光ファイバ７０（他の光ファイバ７０ｂ）との融着接続部６３ｂを収納する融着ユニット３と、機器側光ファイバ７０ａ（７０）を分岐する光部品（光カプラ）８０を収納する光部品ユニット４とを具備している。
機器側光ファイバ７０には、光カプラ付き光ファイバ８と接続されるもの７０ａと、外線側光ファイバ６０と融着接続されるもの７０ｂとの二種類があるので、以下、適宜異なる符号により区別して説明する。
なお、光部品８０は、ここでは光カプラであるが、光スプリッタや光フィルタ等とすることもできる。
【０００９】
図１に示すように、機器側光ケーブル７は、ここでは伝送装置９０と光配線盤１とを連絡する光ケーブルである。また、外線側光ケーブル６は、光配線盤１と融着架９２とを連絡する光ケーブルである。融着架９２は、外線側光ケーブル６の光ファイバ６０と、外線となる光ケーブル９１の光ファイバ９１ａとの融着接続部９４を収納する融着ユニット９３を備えた公知の架体である。
【００１０】
この光配線盤１においては、詳しくは後述するように、外線側光ファイバ６０と機器側光ファイバ７０との接続は、機器側光ファイバ７０（７０ａ）を光カプラ８０の入力側光ファイバ８１に融着接続し、光カプラ８０の出力側光ファイバ８２を外線側光ファイバ６０と融着接続することにより行うことができる。また、機器側光ファイバ７０（７０ｂ）を光カプラ８０と接続することなく、直接、外線側光ファイバ６０と融着接続することもできる。
【００１１】
光ケーブル６、７は、函体１０下部に開口したケーブル導入口２０からケーブル固定部２に引き込まれ、函体１０奥側の背面板１１に固定されて配列されたケーブル把持具２１にシース６１、７１（シース）が把持されることにより、固定される。ここでは、ケーブル固定部２にはさらにスロット固定具２２が設けられており、ここに、光ケーブル６、７の端末に露出されたスロット６２、７２を固定できるようになっている。
【００１２】
外線側光ケーブル６としては、単心あるいは多心の光ファイバテープ心線等の光ファイバ心線を収納した光ケーブルが普通であるが、例えば、光ファイバコード等を収納した光コードケーブルなども採用可能である。
機器側光ケーブル７としては、１心ごとの切替接続を容易にするため、単心の光ファイバ心線を収納した光ケーブルが好適に用いられる。
【００１３】
図３、４に示すように、ケーブル固定部２と、その上方に配設された融着ユニット３との間には、外線側光ケーブル６から引き出された外線側光ファイバ６０をガイドするＲガイド２４と、機器側光ケーブル７から引き出された機器側光ファイバ７０をガイドするＲガイド２５とが設けられている。
Ｒガイド２４とＲガイド２５とは、一体に形成されており、Ｒガイド２４側が函体１０の背面板１１に固定されている。つまり、Ｒガイド２４が函体１０の奥側（図４（ａ）における左側）に、また、Ｒガイド２５が函体１０の手前側（図４（ａ）における右側、作業側）に配置されている。
【００１４】
外線側光ファイバ６０は、Ｒガイド２４により、若干下に湾曲するように懸架されてから融着ユニット３脇のＲガイド２６に巻き掛けられる。Ｒガイド２４とＲガイド２６との間では、外線側光ファイバ６０は、各Ｒガイド２６のやや下方に配設されたフラットクランプ２７にクランプされ、函体１０下部の空間１４に湾曲するように配線されることで、余長が吸収される。
【００１５】
機器側光ファイバ７０は、Ｒガイド２５により、若干下に湾曲するように懸架されてから、函体１０の側面板１２に鉛直方向（図３、４の上下方向）に延在して取り付けられたトンネル状のダクト２８に挿通され、ダクト２８のやや上方に配設されたスポンジクランプ２９に、その中間部を把持される。機器側光ファイバ７０の端末側は、光部品ユニット４に引き入れられる。
【００１６】
図５、６は、光部品ユニットの概略の構成を示す図であり、図５は平面図、図６は斜視図である。但し、図６は、光部品ユニット４に配線される光ファイバ等を省略した図となっている。
光部品ユニット４は、概略、背面板１１に対して引き出し式に取り付けられた配線棚４０の上に、カプラ等の光部品を収納するカプラトレー５０を積層状態に取り付けることにより構成されている。カプラトレー５０は、ここでは手前側（図５の下側）と奥側とに設けられたカプラトレー積層部４１ａ、４１ｂに積層され、入れ替え可能に収納されている。
【００１７】
配線棚４０の側縁部４２、４３は、下方に湾曲した円弧状となっており、光部品ユニット４に引き込まれ、あるいは、光部品ユニット４から引き出される光ファイバ７０、８２を、適度に湾曲した配線状態に維持することができるようになっている。また、光ファイバ７０、８２を固定して保持するため、側縁部４２、４３には、クランプ４２ａ、４３ａ〜ｄが設けられている。
【００１８】
カプラトレー積層部４１ａ、４１ｂの間には、カプラ等の光部品に接続されることなく、機器側光ファイバ７０ｂが光部品ユニット４を引き通して配線される配線領域４４が設けられており、この配線領域４４には、機器側光ファイバ７０ｂを保護する一対の保護シート４４ａが設けられている。
【００１９】
配線棚４０の奥側のカプラトレー積層部４１ｂの裏手には、光部品８０や外線側光ファイバ６０に対して未接続の光ファイバ７０ａ、７０ｂ、８２の先端部が置かれる未接続光ファイバ収納領域４５ａ、４５ｂ、４５ｃが、それぞれ確保されている。図５、６では、光ファイバ収納領域４５ａは、導入側の側縁部４２に近い側（図面左側）に、光ファイバ収納領域４５ｂ、４５ｃは、導出側の側縁部４３に近い側（図面右側）に確保されている。光ファイバ収納領域４５ｂ、４５ｃは共有された領域となっているが、後述するように、光ファイバ７０の先端部には識別チューブが３個、光ファイバ８２の先端部には識別チューブが４個、取り付けられるので、識別は容易である。また、袋７５ｂ、８５も異なるものを用いるので（図１、２参照）、区分けして収納することができる。
【００２０】
機器側光ファイバ７０ａには、１×Ｎ分岐のカプラ８０の入力側および出力側に光ファイバ８１、８２が接続されたカプラ付き光ファイバ８を融着接続することができ、これにより、機器側光ファイバ７０の光信号を１×Ｎ分岐することができる。
【００２１】
図７に示すように、カプラトレー５０は、薄型のケース５１内に、カプラ８０を保持するカプラ収納部５２ａ、５２ｂおよび、カプラ８０の入力側光ファイバ８１と機器側光ファイバ７０との融着接続部８３を保持する融着接続部保持部５３を備えて構成されている。なお、ここでは、カプラ収納部５２ａは、１×４または１×８のＰＬＣカプラ８０ａを収納するものであり、カプラ収納部５２ｂは、１×２のカプラ８０ｂを収納するものである。融着接続部保持部５３は、カプラ収納部５２ｂを兼ねている。
カプラトレー５０は、カプラ収納部５２ａ、５２ｂや融着接続部保持部５３の種類や個数が異なるものを取り混ぜて、カプラトレー積層部４１ａ、４１ｂに積層して使用することができる。
【００２２】
ここではケース５１は上方（図７の紙面手前向き）に開口した細長形状に形成されており、カプラ収納部５２ａ、５２ｂや融着接続部保持部５３は、ケース５１の長手方向（図７の左右方向）の中央付近に設けられている。ケース５１の長手方向の両側部は、光ファイバの余長を収納する余長収納部５６、５７になっている。ケース５１の開口端縁の数箇所には、余長収納部５６、５７等に収納される光ファイバのはみ出しを防ぐ舌状の押さえ片５８が、ケース５１の底板と平行に、開口部の内方に向かって突設されている。
ケース５１の側部には、機器側光ファイバ７０ａが引き入れられる導入口５４と、カプラ８０の出力側光ファイバ８２が引き出される導出口５５が形成されている。
【００２３】
このカプラトレー５０は、機器側光ファイバ７０ａと入力側光ファイバ８１とを融着接続した後、機器側光ファイバ７０ａを導入口５４に差し入れ、融着接続部８３を融着接続部保持部５３に保持させるとともに、カプラ８０ａ、８０ｂをカプラ収納部５２ａ、５２ｂに保持させ、機器側光ファイバ７０ａおよび入力側光ファイバ８１の余長を余長収納部５６、５７に収納することにより、機器側光ファイバ７０ａとカプラ付き光ファイバ８との接続およびその収納を行えるようになっている。
【００２４】
光部品ユニット４から引き出された光ファイバ７０ｂ、８２は、函体１０の右側の側面板１３に取り付けられたコードガイド１５に挿通され、さらに、コードクランプ１６とＲガイド１７とにより湾曲配線されて、融着ユニット３に引き込まれる。
【００２５】
図８に示すように、融着ユニット３は、複数の融着トレー３１を多段に引き出し式に収納した融着トレー収納棚３０と、融着トレー収納棚３０に引き込まれる光ファイバ７０ｂ、８２を保持するサポート部材３６とを備えている。
融着トレー３１には、融着ユニット３に引き込まれた外線側光ファイバ６０と、光ファイバ７０ｂ、８２とを融着接続してなる融着接続部６３ａ、６３ｂを保持して収納する融着接続部保持部３２が設けられている。
【００２６】
融着接続部保持部３２の一側（図８の左側）には、融着接続された外線側光ファイバ６０をクランプして保持するコードクランプ３３ａが設けられており、前記一側部と反対側の他側（図８の右側）には、融着接続された光ファイバ７０ｂ、８２をクランプして保持するコードクランプ３３ｂが設けられている。
融着接続部保持部３２とコードクランプ３３ａ、３３ｂとの間の領域は、光ファイバ６０、７０ｂ、８２の余長を収納する余長収納領域３４ａ、３４ｂとなっている。余長収納領域３４ａは、光ファイバ７０ｂ、８２に対して未接続の外線側光ファイバ６０の先端部を収納する未接続光ファイバ収納領域３５にもなっている。
【００２７】
次に、以上説明した本実施の形態の光配線盤１を使用して、外線側光ファイバ６０と機器側光ファイバ７０とを接続する方法を説明する。
【００２８】
外線側光ケーブル６については、先端から必要長のシース６１を除去し、スロット６２のスロット溝ごとに光ファイバ６０を束ねてから、光ファイバ６０の外周にスパイラルチューブ６４を取り付ける。
スロット６２はシース６１を除去した端部から適当な寸法を残して除去し、光ケーブル６をケーブル導入口２０からケーブル固定部２に導入して、シース６１の上から光ケーブル６をケーブル把持具２１により把持、固定する。また、スロット６２をスロット固定具２２に把持、固定する。
外線側光ファイバ６０は、途中をＲガイド２４、２６に巻き掛け、フラットクランプ２７により把持、固定して、先端部を融着ユニット３に引き入れる。
【００２９】
機器側光ケーブル７については、先端から必要長のシース７１を除去し、スロット７２のスロット溝ごとに光ファイバ７０を束ねてから、光ファイバ７０の外周の所定箇所にスパイラルチューブを取り付ける。
スロット７２はシース７１を除去した端部から適当な寸法を残して除去し、機器側光ケーブル７をケーブル導入口２０からケーブル固定部２に導入して、シース７１の上から機器側光ケーブル７をケーブル把持具２１により把持、固定する。また、スロット７２をスロット固定具２２に把持、固定する。
機器側光ファイバ７０は、Ｒガイド２５に巻き掛けたのち、ダクト２８を経由してスポンジクランプ２９に把持、固定して、先端部を光部品ユニット４に引き入れる。
【００３０】
機器側光ファイバ７０を光部品ユニット４内で配線するには、まず、光部品ユニット４の配線棚４０を作業側（作業者の手前側）に引き出し、機器側光ファイバ７０をクランプ４２ａに把持、固定する。
【００３１】
（１）機器側光ファイバ７０（７０ａ）をカプラ付き光ファイバ８と接続する場合、まず、カプラ８０の入力側光ファイバ８１と接続するのに必要な長さを残して機器側光ファイバ７０ａの先端側を切断するとともに、カプラトレー５０のカプラ収納部５２ａ、５２ｂにカプラ８０を保持し、機器側光ファイバ７０ａと入力側光ファイバ８１とを突き合わせて融着接続する。融着接続部８３を融着接続部保持部５３に保持させてから、機器側光ファイバ７０ａの余長を右側の余長収納部５６に収納し、入力側光ファイバ８１の余長を左側の余長収納部５７に収納する。さらに、出力側光ファイバ８２は、右側の余長収納部５６に一周分収納してから、導出口５５を通してカプラトレー５０外に出力し、光部品ユニット４外に引き出す。
【００３２】
（２）機器側光ファイバ７０（７０ｂ）を直接外線側光ファイバ６０と融着接続する場合、融着ユニット３で外線側光ファイバ６０と接続するのに必要な長さを残して機器側光ファイバ７０ｂの先端側を切断し、配線領域４４を引き通して配線し、保護シート４４ａに挟んで保護し、光部品ユニット４外に引き出す。
（３）機器側光ファイバ７０（７０ａ）を直ちにカプラ付き光ファイバ８と接続せずに接続を保留する場合、カプラ８０の入力側光ファイバ８１と接続するのに必要な長さを残して機器側光ファイバ７０ａの先端側を切断してから、先端部をらせん状に巻き、プラスチックの袋７５ａに入れて未接続光ファイバ収納領域４５ａに収納する。この光ファイバ７０ａは、必要時に取り出して、カプラ付き光ファイバ８と融着接続してカプラトレー５０に配線することができる。
【００３３】
図９に示すように、光部品ユニット４外に引き出された光ファイバ７０ｂ、８２は、外周に保護チューブ９を取り付け、先端に光ファイバを識別するためのカラーチューブ９ａ〜９ｃを取り付けてから、所定のクランプ４３ａ〜４３ｃにクランプする。
カラーチューブ９ａ〜９ｃは、先端側から決まった順序で、（ａ）光ケーブルの番号ごと、（ｂ）スロット溝の番号ごと、（ｃ）グループの番号ごとに色分けしたチューブを取り付ける。光ファイバがカプラ８０の出力側光ファイバ８２の場合、さらに、カプラ８０の種類を識別するカラーチューブ９ｄを取り付ける。
【００３４】
光部品ユニット４の出口側における光ファイバ７０ｂ、８２のクランプは、当該光ファイバ７０ｂ、８２が、手前側のカプラトレー積層部４１ａのカプラトレー５０から引き出された光ファイバ８２である場合には、手前側のクランプ４３ａを用い、光ファイバ７０ｂ、８２が、保護シート４４ａに挟まれて保護された光ファイバ７０ｂである場合には、クランプ４３ｂを用い、光ファイバ７０、８２が奥側のカプラトレー積層部４１ｂのカプラトレー５０から引き出された光ファイバ８２である場合には、奥寄りのクランプ４３ｃを用いる。
このように、クランプ４３ａ〜４３ｃを区分けして用いることにより、光ファイバ７０ｂ、８２が仕分けされるので、選択が容易になる。
【００３５】
外線側光ファイバ６０と融着接続される光ファイバ７０ｂ、８２は、函体１０の右側の側面板１３に取り付けられたコードガイド１５に挿通され、さらに、コードクランプ１６とＲガイド１７とにより湾曲配線されて、融着ユニット３に引き込まれる。
【００３６】
これに対して、光ファイバ７０ｂ、８２のうち、直ちに外線側光ファイバ６０と融着接続せずに接続を保留する場合は、クランプ４３ａ〜４３ｃにクランプして一旦は光部品ユニット４から下方に垂らして湾曲配線してから、再び光部品ユニット４に引き入れてクランプ４３ｄによりクランプし、先端部をらせん状に巻き、プラスチックの袋７５ｂ、８５に入れて未接続光ファイバ収納領域４５ｂに収納する。この光ファイバ７０ｂ、８２は、必要時に取り出して、融着ユニット３に引き入れて外線側光ファイバ６０と融着接続することができる。
光ファイバ７０ｂ、８２の配線後、配線棚４０は、光部品ユニット４に押し入れられる。
【００３７】
融着ユニット３において、外線側光ファイバ６０と光ファイバ７０ｂ、８２とを融着接続するには、融着トレー３１を融着トレー収納棚３０から引き出してから、外線側光ファイバ６０をクランプ３３ａにクランプし、光ファイバ７０ｂ、８２をクランプ３３ｂでクランプする。光ファイバ６０、７０ｂ、８２のクランプを融着トレー３１を引き出した状態で行うのは、融着トレー３１の引き出しに必要な余長（引き出し余長）を確保するためである。
【００３８】
外線側光ファイバ６０を光ファイバ７０ｂ、８２と突き合わせて融着接続してから、融着接続部６３ａ、６３ｂを、融着トレー３１上の融着接続部保持部３２に保持する。外線側光ファイバ６０が多心光ファイバである場合には、融着接続に先立って、一括被覆を除去して単心光ファイバとなるように単心分離する。
さらに、図８に示すように、外線側光ファイバ６０および光ファイバ７０ｂ、８２の、クランプ３３ａ、３３ｂにクランプされた箇所と、融着接続部６３ａ、６３ｂとの間の部分の余長を、それぞれ余長収納領域３４ａ、３４ｂに収納する。
外線側光ファイバ６０のうち、直ちに光ファイバ７０ｂ、８２と融着接続せずに接続を保留するものは、先端部をらせん状に巻き、プラスチックの袋６５に入れて未接続光ファイバ収納領域３５に収納する。
【００３９】
光ファイバの接続切替を行う場合には、融着接続部６３ａ、６３ｂを切断してから、接続余長を取り直して、所望の光ファイバと融着接続するようにする。上述したように、各光ファイバ７０ｂ、８２には識別チューブ９ａ〜９ｄが取り付けられているので識別および管理は容易である。
【００４０】
このように、本実施の形態の光配線盤によれば、当該光配線盤に引き込まれた光ケーブルから引き出された外線側光ファイバおよび機器側光ファイバを、切替接続可能に、直接融着接続することができる。また、光ファイバに光カプラなどの光部品を介在させる場合でも、融着接続部の個数を最小限にとどめることができる。従って、極めて低損失な接続が達成され、高速度、高容量な伝送を低コストにて実現することができる。
また。未接続の光ファイバ６０、７０ａ、７０ｂ、８２は、それぞれ、袋６５、７５ａ、７５ｂ、８５に入れて未接続光ファイバ収納領域３５、４５ａ、４５ｂ、４５ｃに収納することができるので、未接続光ファイバの収納に大きなスペースを必要としない。また、未接続光ファイバ収納領域を３５、４５ａ、４５ｂ、４５ｃを区分けして収納されるので、必要時の選別や取り出しも容易である。
【００４１】
【発明の効果】
以上説明したように、本発明の光配線盤は、本発明は、光ファイバ同士の融着接続部を収納する融着ユニットと、前記他の光ファイバに対して接続される光部品付き光ファイバの光部品を収納する光部品ユニットとを備え、前記ケーブル側光ファイバに、前記他の光ファイバと接続された前記光部品付き光ファイバの光ファイバを融着接続することにより、ケーブル側光ファイバと他の光ファイバとの間に光部品を介在できるように構成されており、前記融着ユニットは、前記ケーブル側光ファイバと前記他の光ファイバとの融着接続部と、前記ケーブル側光ファイバと前記光部品付き光ファイバの光ファイバとの融着接続部とを取り出し可能に収納するようになっているので、光コネクタを使用することなくケーブル側光ファイバと他の光ファイバとを接続することができ、低コストかつ低損失な配線が可能になる。また、未接続の光ファイバは、コネクタ成端されていないので嵩ばらず、未接続光ファイバ収納領域として比較的小さいスペースを確保して収納することができる。従って、光配線盤の低コスト化、高密度化が達成される。
【００４２】
前記光部品ユニットが、ケーブル側光ファイバに対して未接続の光ファイバの端末部を湾曲収納する未接続光ファイバ収納領域を有することにより、未接続光ファイバを整理して収納することができる。未接続光ファイバはコネクタ成端されないので、嵩ばらず、大きな収納スペースを必要としない。
前記光部品ユニットが、前記ケーブル側光ファイバと接続される前記他の光ファイバが配線される配線領域を備えており、この配線領域は、前記未接続光ファイバ収納領域とは区分けされていれば、光部品を介在させる必要のない光ファイバを、区分けして配線でき、配線の整理や管理が容易になる。
【００４３】
このような光配線盤に光ファイバを配線する本発明の光配線盤の配線方法は、外線側光ファイバと融着接続される光ファイバを所定の本数ずつグループにし、各グループを識別する識別チューブを、当該グループに属する光ファイバを束ねるようにして取り付けるものであるので、光ケーブルの増設にも確実に対応でき、光ファイバの識別および配線の管理を容易に行うことができる。
【図面の簡単な説明】
【図１】本発明に係る光配線盤およびその配線方法の一例を示す概略構成図である。
【図２】本発明に係る光配線盤およびその配線方法の一例を示す模式図である。
【図３】本発明に係る光配線盤の第１実施形態を示す正面図である。
【図４】図３の光配線盤の部分拡大図であり、（ａ）左側面図、（ｂ）正面図である。
【図５】光部品ユニットの斜視図である。
【図６】光部品ユニットの平面図である。
【図７】カプラトレーの平面図である。
【図８】融着トレーの平面図である。
【図９】光ファイバに識別チューブを取り付けた状態の一例を示す図である。
【図１０】従来の光配線盤およびその配線方法の一例を示す概略図である。
【符号の説明】
１…光配線盤、３…融着ユニット、４…光部品ユニット、６…光ファイバケーブル（光ケーブル）、８…光部品付き光ファイバ、９ａ〜９ｄ…識別チューブ、４４…配線領域、４５ｂ…未接続光ファイバ収納領域、６０…ケーブル側光ファイバ、６３ｂ…融着接続部、７０（７０ａ、７０ｂ）…機器側光ファイバ、８０…光部品（光カプラ）、８２…光ファイバ。
【図１】
2004226477.tif 000003
【図２】
2004226477.tif 000004
【図３】
2004226477.tif 000005
【図４】
2004226477.tif 000006
【図５】
2004226477.tif 000007
【図６】
2004226477.tif 000008
【図７】
2004226477.tif 000009
【図８】
2004226477.tif 000010
【図９】
2004226477.tif 000011
【図１０】
2004226477.tif 000012